(57)【要約】  ラック１及びラック１に取り付けられる医療機器２の配置構造において、ラック１は第１の接続要素１１１を備え、医療機器２は、ラック１及び医療機器２の取付状態でラック１の第１の接続要素１１１に解除可能に接続されて医療機器２とラック１との間の電気的接続を確立する第２の接続要素２１１を備える。第１の接続要素１１１及び第２の接続要素２１１は各々少なくとも２つの電気接点１１１．１、２１１．１を備え、少なくとも２つの電気接点１１１．１、２１１．１を介するラック１及び医療機器２の取付状態で、医療機器２とラック１との間の低速データ接続１５、２５及び高速データ接続１４、２４の両方が確立される。したがって、医療機器とラックとの間に確実かつ信頼性が高く、同時に汎用性のある電気的接続を提供することにより、医療機器のラックへの容易な取付を可能にするラック及び医療機器の配置構造が提供される。【選択図】図１０
2015503968.tif 000002
【特許請求の範囲】
【請求項１】
ラック（１）及び該ラック（１）に取り付けられる医療機器（２）の配置構造において、前記ラック（１）が第１の接続要素（１１１）を備え、前記医療機器が、前記ラック（１）及び前記医療機器（２）の取付状態で、該ラック（１）の前記第１の接続要素（１１１）と解除可能に接続されて前記医療機器と前記ラック（１）との間に電気的接続を確立する、第２の接続要素（２１１）を備える、配置構造であって、
前記第１の接続要素（１１１）及び前記第２の接続要素（２１１）は、各々、少なくとも２つの電気接点（１１１．１、２１１．１）を備え、該少なくとも２つの電気接点（１１１．１、２１１．１）を介する前記ラック（１）及び前記医療機器（２）の前記取付状態で、前記医療機器（２）と前記ラック（１）との間の低速データ接続（１５、２５）及び高速データ接続（１４、２４）の両方が確立されることを特徴とする、配置構造。
【請求項２】
前記少なくとも２つの電気接点（１１１．１、２１１．１）を介して、電源接続（１７、２７）、特に直流接続が更に確立されることを特徴とする、請求項１に記載の配置構造。
【請求項３】
低速データ接続（１５、２５）は、１ｋビット／秒以下のデータレートを有することを特徴とする、請求項１又は２に記載の配置構造。
【請求項４】
前記高速データ接続（１４、２４）は、２Ｍビット／秒以上、好ましくは１０Ｍビット／秒のデータレートを有することを特徴とする、請求項１〜３のいずれか一項に記載の配置構造。
【請求項５】
前記高速データ接続（１４、２４）はイーサネット（登録商標）接続であることを特徴とする、請求項４に記載の配置構造。
【請求項６】
前記第１の接続要素（１１１）及び前記第２の接続要素（２１１）は、各々、４つの電気接点（１１１．１、２１１．１）を備えることを特徴とする、請求項１〜５のいずれか一項に記載の配置構造。
【請求項７】
前記高速データ接続（１４、２４）は、前記４つの接点（１１１．１、２１１．１）のうちの第１の対（１１１．１Ａ、１１１．１Ｂ、２１１．１Ａ、２１１．１Ｂ）を使用して、高速差動データ信号を前記医療機器（２）に送信する前記ラック（１）の高速差動送信リンクを形成し、前記４つの接点（１１１．１、２１１．１）のうちの第２の対（１１１．１Ｃ、１１１．１Ｄ、２１１．１Ｃ、２１１．１Ｄ）を使用して、高速差動データ信号を前記医療機器（２）から受信する前記ラック（１）の高速差動受信リンクを形成することを特徴とする、請求項６に記載の配置構造。
【請求項８】
前記低速データ接続（１５、２５）は、前記４つの接点（１１１．１、２１１．１）のうちの前記第１の対（１１１．１Ａ、１１１．１Ｂ、２１１．１Ａ、２１１．１Ｂ）を使用して第１のライン（１５５、２５５）を形成し、前記４つの接点（１１１．１、２１１．１）のうちの前記第２の対（１１１．１Ａ、１１１．１Ｂ、２１１．１Ａ、２１１．１Ｂ）を使用して第２のライン（１５４、２５４）を形成し、低速差動データ信号を送信する低速差動リンク（１５４、１５５、２５４、２５５）を形成することを特徴とする、請求項７に記載の配置構造。
【請求項９】
前記ラック（１）は、第１の搬送周波数で、前記低速差動リンク（１５４、１５５、２５４、２５５）を介して前記医療機器（２）に低速差動データ信号を送信し、前記第１の搬送周波数とは異なる第２の搬送周波数で、前記低速差動リンク（１５４、１５５、２５４、２５５）を介して前記医療機器（２）から低速差動データ信号を受信することを特徴とする、請求項８に記載の配置構造。
【請求項１０】
前記低速差動リンク（１５４、１５５、２５４、２５５）を使用して、前記ラック（１）から前記医療機器（２）に電力が供給されることを特徴とする、請求項８又は９に記載の配置構造。
【請求項１１】
前記ラック（１）及び前記医療機器（２）は、各々、前記高速データ接続（１４、２４）を介して高速通信を提供する第１のプロセッサ（１４０、２４０）を備え、前記ラック（１）の前記第１のプロセッサ（１４０）及び前記医療機器（２）の前記第１のプロセッサ（２４０）は、各々、第１の変圧器（１４４）を介して前記４つの接点（１１１．１、２１１．１）のうちの前記第１の対（１１１．１Ａ、１１１．１Ｂ、２１１．１Ａ、２１１．１Ｂ）に接続され、第２の変圧器（１４５）を介して関連する前記第１の接続要素（１１１）又は前記第２の接続要素（２１１）の前記４つの接点（１１１．１、２１１．１）のうちの前記第２の対（１１１．１Ａ、１１１．１Ｂ、２１１．１Ａ、２１１．１Ｂ）に接続されることを特徴とする、請求項７〜１０のいずれか一項に記載の配置構造。
【請求項１２】
前記ラック（１）及び前記医療機器（２）は、各々、前記低速データ接続（１４、２４）を介して低速通信を提供する第２のプロセッサ（１４０、２４０）を備え、前記ラック（１）の前記第２のプロセッサ（１５０）及び前記医療機器（２）の前記第２のプロセッサ（２５０）は、各々、前記第１の変圧器（１４４、２４４）の二次巻線（１４４Ｂ、２４４Ｂ）の中心タップ（１４４Ｃ、２４４Ｃ）を介して前記４つの接点（１１１．１、２１１．１）のうちの前記第１の対（１１１．１Ａ、１１１．１Ｂ、２１１．１Ａ、２１１．１Ｂ）に接続され、前記第２の変圧器（１４５、２４５）の二次巻線（１４５Ｂ、２４５Ｂ）の中心タップ（１４５Ｃ、２４５Ｃ）を介して関連する前記第１の接続要素（１１１）又は前記第２の接続要素（２１１）の前記４つの接点（１１１．１、２１１．１）のうちの前記第２の対（１１１．１Ａ、１１１．１Ｂ、２１１．１Ａ、２１１．１Ｂ）に接続されることを特徴とする、請求項１１に記載の配置構造。
【請求項１３】
低速データ接続（１５、２５）は、前記医療機器（２）のスリープモードからのウェイクアップを可能にするように構成されていることを特徴とする、請求項１〜１２のいずれか一項に記載の配置構造。
【請求項１４】
前記第１の接続要素（１１１）は、医療機器（２）が前記第１の接続要素（１１１）に存在するか否かを検出する検出装置（１８）を備えることを特徴とする、請求項１〜１３のいずれか一項に記載の配置構造。
【請求項１５】
前記ラック（１）の前記第１の接続要素（１１１）は、前記ラック（１）と前記医療機器（２）との間に、前記ラック（１）における前記医療機器（２）の少なくとも２つの異なる係合位置で電気的接続を確立するように構成され、前記異なる係合位置は、前記医療機器（２）が前記ラック（１）に取付可能な係合方向（Ｅ）を中心に前記医療機器（２）を回転させたときの異なる角度位置に対応することを特徴とする、請求項１〜１４のいずれか一項に記載の配置構造。
【発明の詳細な説明】
【技術分野】
【０００１】
本発明は、請求項１のプリアンブルによる、ラック及びラックに取り付けられる医療機器の配置構造に関する。
【背景技術】
【０００２】
この種の配置構造内では、ラックは第１の接続要素を備え、医療機器は、ラック及び医療機器の取付状態で、ラックの第１の接続要素に解除可能に接続されて医療機器とラックとの間に電気的接続を確立する、第２の接続要素を備える。
【０００３】
この種のラックは、複数の医療機器、特に病院環境における容積型ポンプ又はシリンジポンプ等の輸液ポンプを保持し一つにまとめるために使用される。ラックは、例えば病院の集中治療室において、患者のベッドサイドに配置することができ、複数の医療機器、すなわち複数の輸液ポンプをラックに接続する幾つかの（第１の）接続要素を備えることができる。ラックは、ラックに取り付けられた医療機器の互いの間の、及びコンピューター、ナースコール、バーコードリーダー又は外部通信ネットワーク等、ラックに接続された外部装置との通信を提供する、通信の背骨（spine）としての役割を果たす。
【０００４】
特許文献１は、医療機器をラックに機械的に接続する複数の案内要素と、さらに、ラックに取り付けられた医療機器とラックとの間の電気的接続を提供する複数の多チャンネル電気的結合要素とを備えるラックを開示している。
【０００５】
特許文献２は、モニタリング及び制御用の２つのユニットと２つの通信バスとを有する医療機器を開示している。それらのユニットは、マイクロプロセッサを備えたコンピューターを含み、ユニットのうちの少なくとも一方は第２のマイクロプロセッサを備えた第２のコンピューターを有し、そこで各コンピューターは第１の通信バス又は第２の通信バスのいずれかに取り付けられている。プログラミングの目的、テストシーケンスの実施、診断又は保守のために、外部装置を２つの通信バスに接続することができ、それにより均一の通信バスを形成する。
【０００６】
一般に、医療機器とラックとの間に通信リンクを確立するために、医療機器とラックとの間に低速通信及び／又は高速通信を提供することができる。低速データ接続内では、例えば制御コマンド又は測定パラメーターを通信するために、医療機器とラックとの間で、幾分か低いデータレートでデータが交換される。高速データ接続では、より高いデータレートでのデータの交換が可能であり、したがって、大量のデータを高いデータレートで交換するために医療機器とラックとの間の高速通信が可能である。
【０００７】
高速データ接続と比較して、低速データ接続は消費する電力が少ない。医療機器の通常作業モードでは、通信の大部分は高速データ接続を介して行われるが、医療機器はまた、医療機器の電力消費を低減するために医療機器の少なくとも幾つかの機能がオフになるスリープモードになる場合もある。スリープモードでは、低速データ接続のみが、医療機器とラックとの間の基本レベルの通信を提供するように機能することができる。
【０００８】
医療機器において高速データ接続及び低速データ接続の両方が提供される場合、従来、必要な高速データ接続及び低速データ接続に対して専用の接続ラインを確立するために適切な数の電気接点（電極）を備えた、医療機器をラックに接続する接続要素が使用される。したがって、高速データ接続及び低速データ接続の両方を使用する場合、接続要素の接点の全体的な数が増大し、したがって、接続要素の複雑性が増大するとともに単一の接点又は接続ラインの破損の危険も増大する。
【先行技術文献】
【特許文献】
【０００９】
【特許文献１】欧州特許第０４７７５５１号
【特許文献２】米国特許出願公開第２００３／０４６４３９号
【発明の概要】
【発明が解決しようとする課題】
【００１０】
本発明の目的は、医療機器とラックとの間に確実かつ信頼性が高く、同時に汎用性のある電気的接続を提供することにより、医療機器のラックへの容易な取付を可能にする、ラック及び医療機器の配置構造を提供することである。
【課題を解決するための手段】
【００１１】
この目的は、請求項１に記載の特徴を備えた配置構造によって達成される。
【００１２】
したがって、こうした配置構造内では（ラックの）第１の接続要素及び（医療機器の）第２の接続要素は、各々、少なくとも２つの電気接点を備え、少なくとも２つの電気接点を介するラック及び医療機器の取付状態では、医療機器とラックとの間の低速データ接続及び高速データ接続の両方が確立される。
【００１３】
本発明によれば、ラックの（第１の）接続要素及び医療機器の（第２の）接続要素は、各々、２つ以上の電気接点を有し、それらの電気接点は、医療機器がラックに取り付けられたときに互いに接触しており、したがって、ラックの接続要素は医療機器の接続要素と係合する。本明細書における本発明は、少なくとも２つの電気接点を使用して、低速データ接続及び高速データ接続の両方を同じラインを介して提供するという構想に基づく。少なくとも２つの電気接点を介して、少なくとも２つの電気ラインが確立され、こうしたラインを介して、医療機器がラックに取り付けられたとき、低速データ通信及び高速データ通信の両方を（同じラインを使用して）行うことができる。
【００１４】
したがって、高速通信及び低速通信に対して同じラインを使用することにより、ラックの（第１の）接続要素及び医療機器の（第２の）接続要素内に提供される接点の全体的な数が減少し、したがって、接続部全体の複雑性が低減するとともに、接続部の破損の危険も低減する。
【００１５】
ラックの（第１の）接続要素及び医療機器の（第２の）接続要素の少なくとも２つの電気接点を介して、さらに、電源接続、特に直流接続も確立することができる。したがって、同じラインを介して、高速通信、低速通信及び電力供給を行うことができ、これにより、同じラインを使用して、医療機器に対して異なる通信手段及び電源が提供される。
【００１６】
低速データ接続は、例えば１ｋビット／秒以下のデータレートを有することができ、ｋＨｚ範囲での信号周波数を使用することができる。対照的に、高速データ接続は、２Ｍビット／秒以上、好ましくは１０Ｍビット／秒又は更には１００Ｍビット／秒のデータレートを有することができ、ＭＨｚ範囲又はＧＨｚ範囲の信号周波数を使用することができる。高速データ接続を、例えば、例えばＩＥＥＥ８０２．３標準規格によるイーサネット（登録商標）接続とすることができる。
【００１７】
一実施形態では、ラックの（第１の）接続要素及び医療機器の（第２の）接続要素は、各々、電気的接続を提供するように厳密に４つの電気接点を備えている。
【００１８】
本明細書における高速データ接続は、これらの４つの接点のうちの第１の対を使用して、ラックから医療機器に高速差動データ信号を送信する高速差動送信リンクを形成し、４つの接点のうちの第２の対を使用して、医療機器から高速差動データ信号を受信する高速差動受信リンクを形成することができる。したがって、４つの電気接点は、接続ラインの２つの対を提供し、それを介して、高速データ接続の送信リンク及び受信リンクが確立され、それにより、差動データ信号を、それぞれのリンクを介してラックから医療機器にかつ医療機器からラックに送信することができる。
【００１９】
（各接続要素の４つの電気接点にわたって確立された）同じ４つのラインを介して低速データ接続を確立するように、低速データ接続は、例えば、４つの接点のうちの第１の対を使用して第１のラインを形成し、４つの接点のうちの第２の対を使用して第２のラインを形成して、低速差動データ信号をラックと医療機器との間で往復して送信する低速差動リンクを提供することができる。このため、低速データ接続は、２つの接点（すなわち接点の第１の対）を使用して第１のラインを形成し、２つの残りの接点（すなわち接点の第２の対）を使用して第２のラインを形成し、第１のライン及び第２のラインは合わせて、第１のライン及び第２のラインにわたって差動データ信号を送信する低速差動リンクを形成する。したがって、低速データ接続の場合、第１の接続要素及び第２の接続要素の接点は合わせてグループ化され、単一の差動通信リンクを形成する。
【００２０】
低速差動通信リンクを介してラックと医療機器との間で往復して低速差動データ信号を送信することができるように、（ラックから医療機器にデータを送信する）送信信号及び（医療機器からラックにデータを送信する）受信信号を、単一の低速差動リンクで多重化しなければならない。このために、送信信号を、第１の搬送周波数でラックから医療機器に送信することができ、医療機器からラックに送信される受信信号を、第１の搬送周波数とは異なる第２の搬送周波数で送信することができる。例えばｋＨｚ範囲での異なる搬送周波数を使用することにより、送信信号及び受信信号は、識別することができ、かつ干渉せず、それにより、単一の低速差動リンクを介して、ラックと医療機器との間の往復通信を行うことができる。
【００２１】
第１のライン及び第２のラインを介する低速差動リンクを使用して、例えば直流接続又は低周波接続（Ｈｚ範囲での交流電流）を使用してラックから医療機器に電力を供給することもできる。
【００２２】
高速データ接続を介して高速通信を提供するように、ラック及び医療機器の両方は、各々、第１の主プロセッサを備えることができる。本明細書において、ラックの第１のプロセッサは、第１の変圧器を介して、ラックの（第１の）接続要素の４つの接点のうちの第１の対に接続され、第２の変圧器を介して、（第１の）接続要素の４つの接点のうちの第２の対に接続される。同様に、医療機器の第１のプロセッサは、第１の変圧器を介して、医療機器の（第２の）接続要素の接点のうちの第１の対に接続され、第２の変圧器を介して、（第２の）接続要素の接点のうちの第２の対に接続される。このため、ラック電子回路と医療機器電子回路との隔離を提供するために、送信リンク及び受信リンクの変圧器を含む、高速差動送信リンク及び高速差動受信リンクが、ラックの第１の主プロセッサと医療機器の第１の主プロセッサとの間に確立される（変圧器は、電子工学において一般に知られるように、同相信号ではなく差動信号を送信する結合回路として使用され、したがって、例えば、コモンモード雑音を低減することもできる）。
【００２３】
ラック及び医療機器は、各々、低速データ接続を介して低速通信を提供する第２のプロセッサを更に備えることができる。本明細書におけるラックの第２のプロセッサは、ラックの第１の変圧器の二次巻線の中心タップを介して（第１の）接続要素の４つの接点のうちの第１の対に接続され、ラックの第２の変圧器の二次巻線の中心タップを介して（第１の）接続要素の４つの接点のうちの第２の対に接続される。同様に、医療機器の第２のプロセッサは、医療機器の第１の変圧器の二次巻線の中心タップを介して医療機器の（第２の）接続要素の接点のうちの第１の対に接続され、医療機器の第２の変圧器の二次巻線の中心タップを介して（第２の）接続要素の接点のうちの第２の対に接続され、したがって、低速差動リンクを得るように第１のライン及び第２のラインを形成する。
【００２４】
ラック及び医療機器それぞれの第２のプロセッサを２つの変圧器の二次巻線の中心タップに接続する（すなわち、ラックの第２のプロセッサをラック側の変圧器に接続し、医療機器の第２のプロセッサを医療機器の側の変圧器に接続する）ことにより、高速データ信号と低速データ信号との分離が達成される。二次巻線の中心タップは、（変圧器を介して送信される差動信号に対して）仮想接地点を提供し、それにより、高速差動データ信号は、低速通信を提供する第２のプロセッサに送信されず、それにより、低速差動データ信号は、変圧器を介して差動データ信号として送信することができず、高速差動送信リンクのラインにおいてかつ同様に高速差動受信リンクのラインにおいて同相を励起する。
【００２５】
本明細書における変圧器の二次巻線は、第１の主プロセッサに接続されていないがラック及び医療機器それぞれの接続要素の側に配置されている、変圧器の巻線として理解されるべきである。
【００２６】
低速データ接続は、ラックと医療機器との間に低速通信を提供する。本明細書における低速データ通信は、必要な電力の量が著しく少なくなり、したがって、医療機器が完全に動作可能状態ではないように医療機器の機能のうちの少なくとも一部がシャットダウンされる、医療機器のスリープモードでも機能することができる。この場合、低速データ接続を介して、医療機器のウェイクアップを開始することができ、そこでは、ラックは、低速データ接続を介して医療機器にウェイクアップ信号を送信し、それにより、医療機器は、そのスリープモードから出て、医療機器の全ての本質的な機能が完全に動作可能である動作モードに入る。
【００２７】
スリープモード中、医療機器の電源をオフに切り換えることができる。代りに、医療機器は、医療機器に含まれるバッテリで動くことができ、バッテリは、低速データ通信に対して電力を供給し、したがって、医療機器のスリープモードにおいてもラックと医療機器との間の限られた通信を可能にする。
【００２８】
ラックの（第１の）接続要素は、医療機器が（第１の）接続要素に存在するか否かを検出する検出装置を更に備えることができる。検出装置は、例えばホールセンサーとして構成することができ、医療機器がラックに取り付けられたか否かを検出する。取り付けられた場合、ラックと医療機器との間の高速通信及び／又は低速通信を開始することができ、医療機器に電力を供給することができる。取り付けられていない場合、（第１の）接続要素に関連する通信回路及び電源回路をオフにすることができる。
【００２９】
更なる実施形態では、ラックの（第１の）接続要素を、ラックにおける医療機器の少なくとも２つの異なる係合位置においてラックと医療機器との間に電気的接続を確立するように構成することができ、異なる係合位置は、医療機器がラックに取付可能である係合方向を中心に医療機器を回転させた場合の異なる角度位置に対応する。この背景は、輸液ポンプから伸びるラインを適切な方法で配置することができるために、輸液ポンプとして構成された医療機器をラックに２つの異なる位置で取り付けることができることが有利である可能性がある、ということである。例えば、ラックの第１の接続要素及び医療機器の第２の接続要素を互いに係合方向に差し込むことにより、医療機器を第１の係合位置でラックに取り付けることができる。医療機器を、係合方向を中心に約１８０度回転させ、医療機器をこの位置でラックに取り付けることもできる可能性があり、それにより、異なる第２の係合位置が得られる。このために、ラック及び医療機器の接続要素の電気接点を、好適な方法で、例えば電気接点を、係合方向を中心に均一に間隔を空けて配置することにより、又は電気接点を合わせてグループ化することにより、かつこうしたグループを関連する接続要素に均一に間隔を空けて配置することにより配置しなければならない。さらに、ラック及び／又は医療機器に適切な切換回路を設けなければならない。
【００３０】
本発明の構想について、続いて、図に示す実施形態に従ってより詳細に説明する。
【図面の簡単な説明】
【００３１】
【図１】患者のベッドサイドに配置されている医療機器、特に輸液ポンプを保持するラックの概略図である。
【図２】基部と基部に着脱可能に接続された保持部とを備えるラックの概略斜視図である。
【図３Ａ】ラックの通常の使用状態において互いに接続された保持部及び基部の概略図である。
【図３Ｂ】取外し状態にある保持部及び基部の概略図である。
【図４】基部及び保持部の回路を示す概略図である。
【図５】ラックの通常の使用状態にある保持部及び基部の概略図であり、保持部は流体容器を保持部に取り付ける締結手段を有している。
【図６】医療機器の第２の接続要素に係合する複数の第１の接続要素を備える保持部の斜視図である。
【図７】取り外されている、オスコネクタの形状の第１の接続要素及びメスコネクタの形状の第２の接続要素の斜視図である。
【図８】医療機器の側の第２の接続要素に取り付けられたラックの側の第１の接続要素の部分切取図である。
【図９Ａ】第１の係合位置にある医療機器のラックへの電気的接続の概略図である。
【図９Ｂ】第２の係合位置にある医療機器のラックへの電気的接続の概略図である。
【図１０】医療機器とラックとの間の電気的接続の回路図である。
【図１１】医療機器とラックとの間の電気的接続の低速データ接続の回路図である。
【図１２】高速データラインでの電力及び低速データ供給の回路図である。
【発明を実施するための形態】
【００３２】
図１は、病院環境、例えば病院の集中治療室で通常見ることができるシナリオを概略図で示す。患者のベッドＢの隣に、シリンジポンプ又は容積型ポンプ等の輸液ポンプとして構成された複数の医療機器２が配置され、輸液ライン４２を介して患者に接続される。こうした医療機器２は、例えば容器４に含まれる薬剤又は栄養剤等の流体を、輸液ライン４２を介して患者に投与するのに役立ち、このような（特に病院の集中治療室の環境にある）輸液ライン４２は、患者に対して生命維持に必要であり、それにより、全ての条件下で、薬剤、栄養剤等の必要な投与を確実にするように患者に接続されたままでなければならない。
【００３３】
通常、輸液ポンプとして構成されるこうした医療機器２は、例えばスタンド３に固定される医療機器２の縦の積重ねを形成するように、ラック１内に一つにまとめられる。スタンド３は、少なくとも或る程度まで、患者のベッドＢに対して又は患者のベッドＢとともに移動可能であるように、車輪を備えることができる。スタンド３は、医療機器２を担持するラック１が取り付けられるポストの形状を有することができ、その最上端に、患者に投与される薬剤若しくは栄養剤又は他の流体を収容する複数の容器４を締結するフックの形状の締結手段３１を備えている。
【００３４】
ラック１は、患者のベッドサイドに医療機器２を一つにまとめて配置する役割を果たす。本明細書においてラック１は、医療機器２用の電源を提供し、医療機器２の確実かつ信頼性の高い固定を確実にし、医療機器２の互いの間の、かつ外部通信ネットワークとの、かつナースコール、プリンター、コンピューター、モニター等の外部周辺装置との通信を提供する。
【００３５】
従来、医療機器２は、ラック１に固定することができ、このために、ラック１に機械的にかつ電気的に接続され、それにより、ラック１を介して、各医療機器２に対して電力を供給することができ、各医療機器２は、他の医療機器２とかつ外部装置及び／又は外部通信ネットワークと通信することができる。このため、ラック１は、通信設備及び電源を提供し、かつ病院通信ネットワーク及び病院管理システムを含む病院環境内に医療機器２を組み込む通信の背骨としての役割を果たす。
【００３６】
図２〜図４は、基部１０と基部１０から着脱可能な保持部１１とを備えるラック１の一実施形態を示す。本明細書において、保持部１１は、保持部１１の本体（垂直柱）１１０に配置された円錐状接続要素１１１の形状の複数の接続手段を備えている。保持部１１は、例えば、輸液ポンプの形状の４つの医療機器２を本体（柱）１１０に接続する４つの接続要素１１１を備えることができるが、６つ又は８つ等、他の数の接続要素１１１が同様に考えられる。保持部１１が接続される基部１０は、ハウジング１００内に電源ユニット１０２（図４を参照）及び通信手段１０７を備え、したがって、外部装置、外部通信ネットワーク及び外部電源への通信及び電源インターフェースを提供する役割を果たす。
【００３７】
したがって、ラック１は、２つの部分、すなわち基部１０及び保持部１１に機能的に分割される。保持部１１はその接続要素１１１とともに、本明細書では、医療機器２を機械的に固定し保持する役割を果たし、大型かつ重量のある電源ユニット（変圧器を含む）又は外部装置を接続する大規模な通信回路及びインターフェースを備えていない。特定の実施形態では、保持部１１は、更には電源及び通信電子回路を全く備えていない場合もあり、外部装置２を基部１０の回路に接続する接続ラインのみを備えている。対照的に、基部１０は、ラック１に取り付けられた医療機器２に通信及び電力を提供するために必要な全ての主な電子コンポーネントを備えている。特に、基部１０は、一般に変圧器を含む電源ユニット１０２と通信手段１０７（図４を参照）とを備えている。さらに、基部１０は、ナースコール、バーコードリーダー、コンピューター、モニター、プリンター又は外部ネットワーク等の種々の周辺装置を基部１０、したがってラック１に接続する複数の通信ポート１０６を備えている。このために、種々のラインを、例えばＵＳＢ接続又はイーサネット（登録商標）接続／ＬＡＮ接続として構成することができる通信ポート１０６に接続することができる。基部１０は、外部電源ラインを接続することができる電源接続部１０１を更に備えている。
【００３８】
図３Ａ及び図３Ｂに示すように、保持部１１を、基部１０から独立して保持部１１に取り付けられた医療機器２とともに担持するように、基部１０から取り外すことができる。本明細書において、保持部１１及び基部１０はともに、保持部１１及び基部１０をスタンド３に固定する、ねじクランプ、ばね式クランプ又はフックとして構成される可能性がある固定手段を備えている。保持部１１を基部１０に接続するために、保持部１１を基部１０に機械的にかつ電気的に接続する役割を果たす、保持部１１の底面１１０Ｂの接続手段１１４、１１５と、基部１０のハウジング１００の頂面１００Ｔの接続手段１０４、１０５とが設けられている。１つの接続手段１０４、１１４を、本明細書では、機械的接続及び電気的接続両方を提供するように構成することができ、そこでは、電気的接続は、電源接続と同様に通信リンクを含む。他の接続手段１０５、１１５は、機械的接続のみを提供する役割を果たすことができる。（両接続手段１０４、１１４、１０５、１１５が、電気的接続及び機械的接続両方を提供することも考えられる。）
【００３９】
基部１０から保持部１１を取り外すと、保持部１１の固定手段１１３がスタンド３から解除され、接続手段１０４、１１４、１０５、１１５を介する接続が切断される。保持部１１は、図３Ｂに示す枢動位置で、保持部１１を、保持部１１に取り付けられている医療機器２とともに担持するために使用することができるハンドル１１２を備えている。ハンドル１１２は、保持部１１の本体（柱）１１０に枢動可能に接続され、保持部１１の固定手段１１３を介するスタンド３への接続及び／又は接続手段１０４、１１４、１０５、１１５を介する基部１０への接続の係止又は係止解除をもたらすことも可能である。
【００４０】
すなわち、図３Ａに示す静止位置では、ハンドル１１２は、保持部１１を基部１０及びスタンド３から取り外すことができないように、固定手段１１３及び接続手段１０４、１１４、１０５、１１５が係止されるようにすることができる。ハンドル１１２を図３Ｂに示すような移動位置まで枢動させると、固定手段１１３及び接続手段１０４、１１４、１０５、１１５を係止解除することができ、それにより、保持部１１を基部１０及びスタンド３から取り外すことができ、基部１０及びスタンド３を伴わない状態で移動させることができる。
【００４１】
基部１０及びスタンド３を伴わない状態で保持部１１を移動させる場合、保持部１１に取り付けられた医療機器２に対して、医療機器２の内部バッテリによって電力を供給することができる。さらに、医療機器２に対して、保持部１１のバッテリ１１７（図４を参照）を介して電力を提供することができ、それにより、保持部１１が基部１０から取り外されると、医療機器２の連続的な電力供給が十分な期間にわたって確保される。
【００４２】
保持部１１が基部１０から取り外されると、保持部１１は、基部１０の無線通信インターフェース１０８又は無線ローカルエリアネットワーク（ＷＬＡＮ）等の外部通信ネットワークへの接続を確立する無線通信インターフェース１１８（図４を参照）を介して、基部１０と通信することができる。したがって、無線通信インターフェース１１８を介して、保持部１１及び保持部１１に取り付けられた医療機器２に対する基本的な通信を、医療機器２への制御コマンドを通信するために、又は外部ネットワーク及び／又は基部１０と保持部１１に取り付けられた医療機器２との間で警告又は測定値を交換するために提供することができる。
【００４３】
基部１０及びスタンド３を伴わない状態で、保持部１１を、取り付けられた医療機器２とともに移動させることにより、移動する装置の重量は、ラック１全体を移動させる場合に比較して実質的に低減し、保持部１１の寸法がラック１全体及びスタンド３に比較して小さいため、保持部１１及び取り付けられた医療機器２の操作は、ラック１全体の操作に比較して簡略化される。さらに、全てのラインが基部１０に接続されたままであることが可能であるため、保持部１１を移動させるときにいかなるラインも切断されてはならない。さらに、医療機器２は、保持部１１において一つにまとめられたままであり、保持部１１を介して、例えば、ベッドＢとともに容易に移動するようにベッドＢに（例えば固定手段１１３を使用することによって）取り付けることができる。
【００４４】
医療機器２を移動させるとき、特に医療機器が容積型輸液ポンプとして構成されている場合、患者に投与されるべき薬剤又は栄養剤等の流体を収容する容器４を、医療機器２とともに移動させなければならない。このため、図５に示す一実施形態では、保持部１１は、１つ又は複数のフックを含む可能性がある締結手段１１６を備え、締結手段１１６は、瓶又は袋等、１つ又は複数の容器４を保持部１１に、容器４を保持部とともに容易に移動させることができるように締結する。締結手段１１６は、保持部１１の本体１１０から垂直に突出し１つ又は複数のフックを担持する、ポストの形状を有することができる。
【００４５】
続いて、図６〜図８を参照して、医療機器２をラック１の保持部１１に接続する接続手段を提供するラック１の接続要素１１１について詳細に説明する。
【００４６】
図６において明らかであるように、保持部１１の突出部分１１０Ｐに、突出部分１１０Ｐに沿って間隔を空けて配置されている、４つの（第１の）接続要素１１１が配置されており、接続要素１１１の各々は、医療機器２のハウジング２１の背面の窪み２１０内に配置された（第２の）接続要素２１１と係合するように構成されている。シリンジポンプ又は容積型ポンプ等の輸液ポンプを構成する医療機器２を、第２の接続要素２１１をラックの保持部１１の第１の接続要素１１１に係合方向Ｅにおいて差し込むことにより、ラック１に取り付けることができる。このために、医療機器２を、ハンドル２２においてつかむことができ、ラック１の第１の接続要素１１１が医療機器２の第２の接続要素２１１に適合して係合するまで、係合方向Ｅにおいてラック１に取り付けることができる。
【００４７】
第１の接続要素１１１及び第２の接続要素２１１は、ラック１と医療機器２との間の機械的接続及び電気的接続の両方を確立する役割を果たす接続手段を提供する。図６〜図８の例示的な実施形態では、ラック１の保持部１１の第１の接続要素１１１は、メスコネクタの形状の医療機器２の側の第２の接続要素２１１と係合するようにオスコネクタとして成形されている。
【００４８】
続いて、ラック１の保持部１１への医療機器２の接続に関して、接続要素１１１、２１１について説明するが、保持部１１を基部１０に取り付ける接続手段１０４、１１４、１０５、１１５を形成するために、同一か又は少なくとも同様の接続要素を使用することもできることが留意されるべきである。特に、基部１０は第１の接続要素を備えることができ、保持部１１は第２の接続要素を備えることができ、第１の接続要素及び第２の接続要素は、保持部１１を基部１０に機械的に固定する機械的接続と、保持部１１を基部１０に電気的に接続する電気的接続とを確立するように構成されている。
【００４９】
さらに、こうした接続要素１１１、２１１の使用は、図２〜図４に関連して説明したように原則的にラック１に限定されず、接続要素１１１、２１１を他のあらゆるタイプのラックとの接続に使用することもできることが強調されるべきである。
【００５０】
図７から明らかであるように、第１の接続要素１１１は接続円錐体１１１．０を備えており、接続円錐体１１１．０を、第２の接続要素２１１の接続開口部２１１．０内に適合して接続することができる。第１の接続要素１１１の接続円錐体１１１．０には、４つの電気接点１１１．１が配置されており、電気接点１１１．１は、第１の接続要素１１１及び第２の接続要素２１１の接続状態で、第２の接続要素２１１の壁２１１．５の４つの電気接点２１１．１に電気的に接触している。第１の接続要素１１１の電気接点１１１．１及び第２の接続要素２１１の電気接点２１１．１は、回転対称軸Ａを中心に均一に（９０度）間隔を空けて配置されており、回転対称軸Ａは、係合方向Ｅに沿った方向に向き、接続円錐体１１１．０及び係合開口部２１１．０の回転対称軸を形成している。
【００５１】
図８の部分切取図から見ることができるように、電気接点２１１．１は、第２の接続要素２１１の壁２１１．５に予張力がかかるように配置されており、電気接点２１１．１を、係合方向Ｅに対して垂直に幾分かの距離だけ移動させることができる。電気接点２１１．１に予張力をかけるために、例えば、各電気接点２１１．１に対して、関連する電気接点２１１．１に対して半径方向内側に向いている方向において、係合方向Ｅに対して垂直に予張力をかけるばねが設けられる。
【００５２】
接続開口部２１１．０内に接続円錐体１１１．０を挿入することにより、第２の接続要素２１１を第１の接続要素１１１に接続すると、第２の接続要素２１１の電気接点２１１．１は、第１の接続要素１１１の電気接点１１１．１と摺動して接触し、半径方向において外側に僅かに押され、それにより、第２の接続要素２１１の電気接点２１１．１は、弾性予張力下で第１の接続要素の電気接点１１１．１に当接する。
【００５３】
第２の接続要素２１１の電気接点２１１．１を第１の接続要素１１１の電気接点１１１．１と摺動して接触させることにより、電気的接続が確立されるため、電気的接続を確立した時点で、電気接点１１１．１、２１１．１の互いに対する摺動による接点１１１．１、２１１．１の清掃が達成される。
【００５４】
第１の接続要素１１１の接続円錐体１１１．０の先端において、第１の接続要素１１１を第２の接続要素２１１に確実に固定する機械的係止接続を確立する役割を果たす、円環形状を有する溝１１１．２が配置されている。このために、ボールの形状の４つの係合要素２１１．２が第２の接続要素２１１の壁２１１．５に配置されており、係合要素２１１．２は、図８の部分切取図において明らかであるように、第１の接続要素１１１及び第２の接続要素２１１の接続状態で溝１１１．２と係合する。
【００５５】
ボールの形状の係合要素２１１．２は、電気接点２１１．１と同様に、壁２１１．５に弾性的に予張力がかけられるように配置されている。これに対して、各係合要素２１１．２に対して、半径方向内側に向いている方向において係合方向Ｅに対して垂直に係合要素２１１．２に予張力をかける弾性ばねを関連付けることができる。
【００５６】
第１の接続要素１１１の接続円錐体１１１．０が、第２の接続要素２１１の接続開口部２１１．０と適合して係合すると、ボールの形状の係合要素２１１．２は、最初に、予張力ばねの作用の下で、第１の接続要素１１１の溝１１１．２と係合するように留まるまで、弾性的に外側に押される。
【００５７】
図８において明らかであるように、接続状態において、接続円錐体１１１．０の正面１１１．４は、接続開口部２１１．０の背面に配置されたピン２１１．４と当接する。接続円錐体１１１．０を接続開口部２１１．０に挿入したときにピン２１１．４に対する押圧作用を介して、係合要素２１１．２が第１の接続要素１１１の溝１１１．２と係合するそれらの係合位置で係止されるようにする係止装置２１１．６（原則的に図８にのみ示す）が駆動される。係合要素２１１．２をそれらの係合位置に係止するため、第２の接続要素２１１を第１の接続要素１１１から（係止装置２１１．６の係止解除作用なしに）取り外すことはできず、それにより、第２の接続要素２１１（及びそれとともに医療機器２）は、確実にかつ信頼性が高く、第１の接続要素１１１に（したがってラック１に）保持される。
【００５８】
図６において明らかであるように、医療機器２のハウジング２１に、係止装置２１１．６を解除するように、したがってラック１から医療機器２を取り外すように駆動することができる、係止解除ボタン２３を配置することができる。
【００５９】
図６〜図８に示す実施形態では、医療機器２をラック１に２つの異なる係合位置で取り付けることができ、一方の係合位置は、医療機器を、係合方向Ｅを中心に１８０度回転させたときに他方の係合位置に対応する。医療機器２を、図６において矢印によって示すように、係合方向Ｅを中心に１８０度回転させることができ、かつラック１に、同じ機械的かつ電気的接続を機能的に達成する同じ接続要素１１１、２１１を介して接続することができる。
【００６０】
図７から明らかであるように、第２の接続要素２１１を、第１の接続要素１１１に対して係合方向Ｅを中心に１８０度回転させると、一方の接続要素１１１、２１１の４つの電気接点１１１．２、２１１．２の全てが他方の接続要素１１１、２１１の電気接点１１１．２、２１１．２に当接し、適切な電気的切換回路が、医療機器２の係合位置とは無関係に（例えば電源接続及び通信リンクを提供するように）電気的接続の所望の機能を提供することができる。
【００６１】
図７及び図８から明らかであるように、第１の接続要素１１１及び第２の接続要素２１１は、各々、接続要素１１１、２１１の間に追加の通信リンクを提供する赤外線（ＩＲＤＡ）通信ポートとして構成される可能性がある、追加の通信ポート１１１．３、２１１．３を備えている。
【００６２】
第１の接続要素１１１の通信ポート１１１．３内には、さらに、医療機器２がそれぞれの接続要素１１１に取り付けられているか否かを検出する役割を果たす検出装置を組み込むことができる。検出装置を、例えば、第１の接続要素１１１における第２の接続要素２１１の存在を検出するホールセンサー又は微小機械スイッチとすることができる。
【００６３】
この種の検出装置を使用して、医療機器２がラック１の特定の接続要素１１１に接続されているか否かを検出することができる。検出装置１１１．３を、さらに、第２の接続要素２１１と第１の接続要素１１１との間の機械的かつ電気的接続が機能的に正しく確立されているか否かを検出するために使用することができる。そして、検出装置の検出信号に従って、ラック１のそれぞれの接続要素１１１に取り付けられた医療機器２とラック１との間の通信を、（医療機器２がそれぞれの第１の接続要素１１１に接続されている場合は）開始し、（医療機器２がそれぞれの第１の接続要素１１１から切断されている場合は）終了することができる。
【００６４】
本明細書に記載されているような接続手段により、一方では、ラック１における医療機器２の容易かつ確実な機械的固定及び位置決めを達成することができ、他方では、医療機器２に電力を供給することができ、かつ通信リンクを確立することができる。本明細書における接続要素１１１、２１１は、ラック１における医療機器２の検出を可能にすることができ、有益な清掃可能性を提供することができる。医療機器２をラックに接続するために、医療機器２を、その接続要素２１１とともに、ラック１の接続要素１１１に単に差し込めばよく、それによって、ラック１の単一接続要素１１１を介して電気的接続及び機械的接続両方が単一ステップで確立されるため、医療機器２をラック１に接続する医療機器２の操作が容易かつ安全である。
【００６５】
図９Ａ、図９Ｂ〜図１２は、図７に示すように接続要素１１１、２１１を介して医療機器２とラック１との間に確立される電気的接続を概略図で示す。
【００６６】
この文脈では、続いて、図７の接続要素１１１、２１１に関連して電気的接続について説明するが、原則的には、医療機器２とラック１との間の電気的接続を確立するために他の電気的コネクタ、特に、同時に機械的接続を確立することなく電気的接続のみを確立するコネクタを使用することができる。
【００６７】
上述したように、接続要素１１１、２１１は、各々、４つの電気接点１１１．１、２１１．１を備えており、それらは、医療機器２がラック１に取り付けられた状態で、互いに接触し、したがって医療機器２とラック１との間に導電性接続ラインを提供する。
【００６８】
図９Ａ、図９Ｂ〜図１２の実施形態によれば、接続要素１１１、２１１を介して確立された電気的接続は、接続要素１１１、２１１における４つの電気接点１１１．１、２１１．１を介して確立された同じ４つのラインを介して、高速データ接続、低速データ接続及び電源接続を提供する。したがって、接点１１１．１、２１１．１を介して提供される電気ラインを使用して、大きいデータレート、例えば１０Ｍビット／秒で高速データが送信されるとともに、例えば１ｋビット／秒のかなり低いデータレートで低速データが送信され、かつ医療機器２に供給する電力が送られる。
【００６９】
図１０の回路図に示すように、ラック１の側と医療機器２の側との両方において、異なる電子コンポーネントを使用して、高速通信、低速通信及び給電が提供される。このために、（例えば図２及び図４に示すように基部１０に含まれる）ラック１は、第１のプロセッサ（主ＣＰＵ）１４０及び通信インターフェース１４１（例えばイーサネット（登録商標）通信インターフェース）を有する第１の通信手段１４を備えている。さらに、低速通信を提供する第２の通信手段１５と、バッテリ１６と、医療機器２に電力を送る給電側機器１７とが設けられている。同様に、医療機器２の側には、第１のプロセッサ（主ＣＰＵ）２４０及び通信インターフェース２４１（例えばイーサネット（登録商標）通信インターフェース）を含む第１の通信手段２４と、第２の通信手段２５と、バッテリ２６と、電源２７とが設けられている。
【００７０】
ラック１及び医療機器２の配置構造内では、第１の通信手段１４、２４は、医療機器２をラック１に電気的に接続するために使用される接続要素１１１、２１１を介して、ラック１と医療機器２との間に高速データ通信を提供する役割を果たす。そして、第２の通信手段１５、２５は、低速データ通信を提供する役割を果たし、ラックの側の給電側機器１７は、医療機器２の側の電源２７に電力を送る役割を果たす。上述したように、ラック１の第１の通信手段１４と医療機器２の第１の通信手段２４との間の高速データ通信、及び、ラック１の第２の通信手段１５、２５と医療機器２の第２の通信手段との間の低速通信、並びに給電は、接続要素１１１、２１１の電気接点１１１．１、２１１．１を介して確立された同じ４つのラインで行われる。
【００７１】
高速データ通信の場合、ラック１の第１のプロセッサ（主ＣＰＵ）１４０は、通信インターフェース１４１を介して電気接点１１１．１に接続される。これに対して、通信インターフェース１４１は、ライン１４２Ａ、１４２Ｂを介して第１の変圧器１４４の一次巻線に接続され、ライン１４３Ａ、１４３Ｂを介してラック１の第２の変圧器１４５の一次巻線１４５Ａに接続される。第１の変圧器１４４の二次巻線１４４Ｂが、ラック１の接続要素１１１の４つの電気接点１１１．１のうちの電気接点１１１．１Ａ、１１１．１Ｂの第１の対に接続され、第２の変圧器１４５の二次巻線１４５Ｂが、ラック１の側の接続要素１１１の４つの電気接点１１１．１のうちの電気接点１１１．１Ｃ、１１１．１Ｄの第２の対に接続される。
【００７２】
対称的に、医療機器２の側では、第１のプロセッサ（主ＣＰＵ）２４０は、通信インターフェース２４１を介して、医療機器２の側の接続要素２１１の電気接点２１１．１に接続される。通信インターフェース２４１は、ライン２４２Ａ、２４２Ｂの第１の対を介して第１の変圧器２４４の一次巻線２４４Ａに接続され、第１の変圧器２４４の二次巻線２４４Ｂは、医療機器２の側の接続要素２１１の４つの電気接点２１１．１のうちの接点２１１．１Ａ、２１１．１Ｂの第１の対に接続される。さらに、通信インターフェース２４１は、ライン２４３Ａ、２４３Ｂの第２の対を介して第２の変圧器２４５の一次巻線２４５Ａに接続され、第２の変圧器２４５の二次巻線１４５Ｂは、医療機器２の側の接続要素２１１の電気接点２１１．１のうちの接点２１１．１Ｃ、２１１．１Ｄの第２の対に接続される。
【００７３】
このように、ラック１の第１のプロセッサ１４０と医療機器２の第１のプロセッサ２４０との間で、接点１１１．１Ａ、１１１．１Ｂ、２１１．１Ａ、２１１．１Ｂの第１の対を介して高速差動送信リンクＴＸが確立され、電気接点１１１．１Ｃ、１１１．１Ｄ、２１１．１Ｃ、２１１．１Ｄの第２の対を介して高速差動受信リンクＲＸが確立され、それらを使用して、ラック１から医療機器２へ（送信リンクＴＸ）かつ医療機器２からラック１へ（受信リンクＲＸ）高速差動データ信号が送信される。こうした差動データ信号は、例えば、例えば１０Ｍビット／秒又は更にはそれより高いデータレートを有するイーサネット（登録商標）接続を形成する、接点１１１．１Ａ、１１１．１Ｂ、２１１．１Ａ、２１１．１Ｂの第１の対を介して、かつ接点１１１．１Ｃ、１１１．１Ｄ、２１１．１Ｃ、２１１．１Ｄの第２の対を介して、対にされたラインによって差動式に送信される。これに対して、ラック１及び医療機器２の通信インターフェース１４１、２４１を、例えば、イーサネット（登録商標）標準規格に従って１０Ｍビット／秒と１００Ｍビット／秒との間の切換可能なデータレートで１０／１００ｂａｓｅ−Ｔ通信インターフェースとして形成することができる。
【００７４】
ラック１の側及び医療機器２の側に接続要素１１１、２１１を介して設けられた電気的接続内で、さらに、ラック１の側及び医療機器２の側で第２の通信手段１５、２５を使用する低速データ通信が設けられる。こうした第２の通信手段１５、２５は、ラック１の側及び医療機器２の側の両方に、第２のプロセッサ１５０、２５０及び送受信器１５１、２５１を備えている。第２のプロセッサ１５０、２５０は、それぞれの送受信器１５１、２５１を介して、第１のコンデンサ１５２、２５２及び第１のライン１５４、２５４を介して、高速差動受信リンクＲＸ内のラック１及び医療機器２それぞれの第２の変圧器１４５、２４５の二次巻線１４５Ｂ、２４５Ｂの中心タップ１４５Ｃ、２４５Ｃに接続される。ラック１及び医療機器２それぞれの送受信器１５１、２５１は、第２のコンデンサ１５３及び第２のライン１５５を介して、さらに、高速差動送信リンクＴＸ内のラック１の側及び医療機器２の側それぞれの第２の変圧器１４４、２４４の二次巻線１４４Ｂ、２４４Ｂの中心タップ１４４Ｃ、２４４Ｃに接続される。２つのライン１５４、１５５、２５４、２５５を介して、接点１１１．１Ａ、１１１．１Ｂ、２１１．１Ａ、２１１．１Ｂの第１の対及び接点１１１．１Ｃ、１１１．１Ｄ、２１１．１Ｃ、２１１．１Ｄの第２の対にわたるラック１の第２のプロセッサ１５０と医療機器２の第２のプロセッサ２５０との間の低速差動リンクが確立される。差動信号は、ライン１５４、１５５、２５４、２５５にわたって送信され、電気接点１１１．１Ａ、１１１．１Ｂ、２１１．１Ａ、２１１．１Ｂの第１の対のラインと電気接点１１１．１Ｃ、１１１．１Ｄ、２１１．１Ｃ、２１１．１Ｄの第２の対のラインとが、それらの同相で各々使用される。
【００７５】
これを、接点１１１．１Ａ、１１１．１Ｂ、２１１．１Ａ、２１１．１Ｂの第１の対のラインに従って、図１２に概略的に示す。ここでは、関連する第２のプロセッサ１５０、２５０に接続されたライン１５５、２５５は、ラック１及び医療機器２それぞれの変圧器１４４、２４４の関連する二次巻線１４４Ｂ、２４４Ｂの中心タップ１４４Ｃ、２４４Ｃに接続される。中心タップ１４４Ｃ、２４４Ｃは、（変圧器１４４、２４４を介して送信される差動信号に関して）仮想接地の位置にあり、それにより、中心タップ１４４Ｃ、２４４Ｃを介して、ラック１の変圧器１４４の二次巻線１４４Ｂと医療機器２の変圧器２４４の二次巻線２４４Ｂとを接続するラインの同相のみが励起される。
【００７６】
変圧器１４４、２４４は（主に）差動データ信号のみを送信するため、（同相を励起する）低速データ信号は、変圧器１４４、２４４を介してラック１及び医療機器それぞれの第１のプロセッサ１４０、２４０に送信されない。そして、低速データライン１５５、２５５は、それぞれの変圧器１４４、２４４の二次巻線１４４Ｂ、２４４Ｂの中心タップ１４４Ｃ、２４４Ｃに接続されるため、いかなる高速差動信号も、ライン１５５、２５５を介して、ラック１及び医療機器２それぞれの第２のプロセッサ１５０、２５０に送信されない。
【００７７】
医療機器２に電力を送るラック１の給電側機器１７は、低速通信の場合のラック１の第２の通信手段１５のライン１５４、１５５の場合と同様に、フィルター１７０を介してかつライン１７１、１７２を介して、変圧器１４４、１４５の二次巻線１４４Ｂ、１４５Ｂの中心タップ１４４Ｃ、１４５Ｃにも接続される。医療機器２の側では、電源２７は、フィルター及び整流器２７０並びにライン２７１、２７２を介して、変圧器２４４、２４５の二次巻線２４４Ｂ、２４５Ｂの中心タップ２４４Ｃ、２４５Ｃにも接続され、それにより、低速データ接続を確立する場合と同様に、高速差動送信リンクＴＸ及び高速差動受信リンクＲＸのラインを同相で使用して、ラック１の給電側機器１７から医療機器２の電源２７まで、電力を送ることができる。
【００７８】
したがって、図１２に示すように、高速差動送信リンクＴＸの変圧器１４４、２４４の中心タップ１４４Ｃ、２４４Ｃを介して電力を送る場合、ライン１７２で送られる電流Ｉｖｃｃは、分流され、電気接点１１１．１Ａ、２１１．１Ａ及び電気接点１１１．１Ｂ、２１１．１Ｂを介して送られ（各々Ｉｖｃｃ／２）、したがって、同相で高速差動送信リンクＴＸを使用する。
【００７９】
低速通信及び給電を提供するために高速差動送信リンクＴＸ及び高速差動受信リンクＲＸを同相で使用することには、ライン又は電気接点１１１．１、２１１．１のうちの１つが破損した場合に、低速通信及び給電が依然として機能することができるという追加の利点がある。
【００８０】
ライン１５４、１５５、２５４、２５５を介する低速差動リンクの場合、ラインの単一の対のみを使用して、ラック１と医療機器２との間で低速通信が往復して提供され、したがって、ラック１と医療機器２との間でデータが往復して送信される。
【００８１】
図１１に示すように、ラック１から医療機器２に送信される送信データと医療機器２からラック１に送信される受信データとを識別することができるため、こうしたデータは、異なる搬送周波数で送信される。これに対して、送信経路におけるラック１の送受信器１５１は、第１の搬送周波数（ｋＨｚ範囲）を提供する正弦波発生器１５１．１を備え、ラック１から医療機器２に送信されるデータはその第１の搬送周波数に変調される。同様に、医療機器２の送受信器２５１は、第１の搬送周波数とは異なる第２の搬送周波数（ｋＨｚ範囲）で正弦波を生成する正弦波発生器２５１．１を備え、医療機器２からラック１に送信される低速データは、その第２の搬送周波数に変調される。
【００８２】
さらに、各送受信器１５１、２５１はバンドパスフィルター１５１．２、２５１．２を備え、ラック１の送受信器１５１のバンドパスフィルター１５１．２は第２の搬送周波数を中心周波数とし、医療機器２の送受信器２５１のバンドパスフィルター２５１．２は、第１の搬送周波数を中心周波数としている。両送受信器１５１、２５１は、信号レベル比較器１５１．３、２５１．３を備えている。
【００８３】
ラック１から医療機器２にデータを送信するために、データは、正弦波発生器１５１．１によって第１の搬送周波数に変調され、ライン１５４、１５５、２５４、２５５を介して医療機器２の送受信器２５１に差動データ信号として送信され、送受信器２５１では、差動データ信号は、バンドパスフィルター２５１．２によってフィルタリングで除去され、信号レベル比較器２５１．３を介して受信データとして医療機器２の第２のプロセッサ２５０に出力される。
【００８４】
そして、データが医療機器２からラック１に送信される場合、データ信号は、医療機器２の送受信器２５１の正弦波発生器２５１．１によって第２の搬送周波数に変調され、差動信号としてラック１の送受信器１５１に送信され、そこで、受信された信号は、バンドパスフィルター１５１．２によってバンドパスフィルタリングされ、信号レベル比較器１５１．３を介して受信データとしてラック１の第２のプロセッサ１５０に出力される。
【００８５】
ラック１によって送信及び受信がそれぞれなされる送信データ信号及び受信データ信号は、オーバラップしない帯域幅を有する異なる搬送周波数で送信及び受信がそれぞれなされるため、信号は容易に識別され、それにより、いかなる（実質的な）干渉もなしに、信号を、ライン１５４、１５５、２５４、２５５の同じ単一の対を介して送信することができる。
【００８６】
図１０及び図１１において明らかであるように、ライン１５４、１５５、２５４、２５５は、各々、コンデンサ１５２、１５３、２５２、２５３を備えている。これは、給電側機器１７と電源２７との間の直流接続から第２の通信手段１５、２５を分離する役割を果たす。
【００８７】
医療機器２の完全動作において、概して、通信の主な部分は、高速データ接続及び高速通信手段１４、２４を介して達成される。特に、医療機器２の完全動作時、高速通信手段１４、２４を介して、ラック１と医療機器２との間で制御コマンド及びパラメーターとともに測定データを交換することができる。
【００８８】
医療機器２は、その機能的構成要素の大部分が動作可能ではなく、電力を節約するためにシャットダウンされるスリープモードになることができる。このスリープモードでは、ラック１と医療機器２との間の低速通信を提供するために、低速データ接続のみが動作可能となることができる。これは、低速通信が、概して、高速データ通信よりはるかに電力を消費せず、それにより、低速通信が医療機器２のバッテリ２６で動作することができるため、有利である。
【００８９】
低速通信手段１５、２５に、医療機器２及び／又はラック１をスリープモードから完全動作モードにするオン／オフ制御部を備えることができる。これに対して、低速通信を介して交換される信号を介して、医療機器２をそのスリープモードからウェイクアップさせることができ、それにより、医療機器２の完全動作を提供するように全ての必要な機能的構成要素をオンに切り換えることができる。
【００９０】
図１０に示すように、ラック１の側に、接続要素１１１の一部として、接続要素１１１において医療機器２の存在を検出する、ホールセンサーの形状の検出装置１８もまた設けることができる。検出装置１８を用いて、医療機器２がその接続要素２１１とともに、ラック１の接続要素１１１に正しく接続されているか否かが検査される。接続されている場合、ラック１から医療機器２への給電を開始することに加えて、例えばラック１と医療機器２との間の通信（低速通信及び高速通信）を開始するように、適切な信号が生成される。
【００９１】
図７を参照して上述したように、接続要素１１１、２１１は、異なる係合位置における医療機器２のラック１への接続を可能にする回転対称形状を有している。これに対して、電気接点１１１．１、２１１．１は、係合方向Ｅを中心に均一に間隔を空けて配置され、それにより、医療機器を、係合方向Ｅを中心に１８０度回転させた場合、電気的接続もまた達成される。
【００９２】
図９Ａ及び図９Ｂは、医療機器２を異なる係合位置でラック１に取り付けるときに、医療機器２とラック１との間の電気的接続がいかに切り換わるかを概略的に示す。ここでは、図９Ａは、医療機器２を第１の係合位置でラック１に取り付けるときの電気的接続を概略的に示し（直接接続で示す）、図９Ｂは、医療機器２を第２の係合位置でラック１に取り付けるときの電気的接続を示す（医療機器２が係合方向Ｅを中心に第１の係合位置に対して１８０度回転した反転接続で示す）。
【００９３】
図９Ａ及び図９Ｂは、各々、医療機器２の（第２の）接続要素２１１を示す。
【００９４】
直接接続では、高速差動送信リンクＴＸは、図９Ａの最上部に示す接点２１１．１Ａ、２１１．Ｂの第１の対を介して確立される。この接点２１１．１Ａ、２１１．１Ｂの第１の対によって、給電側機器１７の正端子（＋）もまた、医療機器２の電源２７に接続される。そして、接点２１１．１Ｃ、２１１．１Ｄの第２の対を介して、高速差動受信リンクＲＸが確立され、接点２１１．１Ｃ、２１１．１Ｄのこの第２の対には、給電側機器１７の負端子（−）が接続される。接点２１１．１Ａ、２１１．１Ｂの第１の対と接点２１１．１Ｃ、２１１．１Ｄの第２の対との間に（各対は同相）、低速差動データリンクが確立される。
【００９５】
図９Ｂに示すように、医療機器が１８０度回転され、ラック１に反転接続で接続された場合、図９Ｂの底部に示す接点２１１．１Ｃ、２１１．１Ｄの第２の対を介して、ここで高速差動送信リンクＴＸが確立される。接点２１１．１Ｃ、２１１．１Ｄの第２の対を介して、電源２７には給電側機器１７の正端子（＋）もまた接続される。この場合、高速差動受信リンクＲＸは、接点２１１．１Ａ、２１１．１Ｂの第１の対を介して確立され、その接点２１１．１Ａ、２１１．１Ｂの第１の対には、給電側機器１７の負端子（−）もまた接続される。この場合もまた、電気接点２１１．１Ａ、２１１．１Ｂの第１の対と接点２１１．１Ｃ、２１１．１Ｄの第２の対との間に低速差動データリンクが確立される。
【００９６】
医療機器２の異なる係合位置でのラック１への接続はまた、図１１において、コンデンサ１５２、１５３、２５２、２５３の間の実線（直接接続）及び破線（反転接続）によって、低速データ接続に関して示されている。
【符号の説明】
【００９７】
１  ラック
１０  基部
１００  ハウジング
１００Ｔ  頂面
１０１  電源接続部
１０２  電源ユニット
１０３  固定手段（クラップ）
１０４、１０５  接続手段
１０６  通信ポート
１０７  通信手段
１０８  無線通信インターフェース
１１  保持部
１１０  本体（柱）
１１０Ｂ  底面
１１０Ｐ  突出部分
１１１  第１の接続要素（オスコネクタ）
１１１．０  接続円錐体
１１１．１  接点
１１１．２  溝
１１１．３  通信ポート
１１１．４  正面
１１２  ハンドル
１１３  固定手段（クランプ）
１１４、１１５  接続手段
１１６  締結手段
１１７  バッテリ装置
１１８  無線通信インターフェース
１４  第１の通信手段
１４０  第１のプロセッサ（主ＣＰＵ）
１４１  通信インターフェース
１４２Ａ、１４２Ｂ  ライン
１４３Ａ、１４３Ｂ  ライン
１４４、１４５  変圧器
１４４Ａ、１４４Ｂ  巻線
１４４Ｃ、１４５Ｃ  中心タップ
１５  第２の通信手段
１５０  第２のプロセッサ（副ＣＰＵ）
１５１  送受信器
１５１．１  正弦波発生器
１５１．２  バンドパスフィルター
１５１．３  信号レベル比較器
１５２、１５３  コンデンサ
１５４、１５５  ライン
１６  バッテリ
１７  給電側機器
１７０  フィルター
１７１、１７２  ライン
１８  検出装置（ホールセンサー）
１８０  ライン
２  医療機器
２１  ハウジング
２１０  窪み
２１１  第２の接続要素（メスコネクタ）
２１１．０  係合開口部
２１１．１、２１１．１Ａ、２１１．１Ｂ、２１１．１Ｃ、２１１．１Ｄ  接点
２１１．２  係合装置（ボール）
２１１．３  通信ポート
２１１．４  ピン
２１１．５  壁
２１１．６  係止装置
２２  ハンドル
２３  係止解除ボタン
２４  第１の通信手段
２４０  第１のプロセッサ（主ＣＰＵ）
２４１  通信インターフェース
２４２Ａ、２４２Ｂ  ライン
２４３Ａ、２４３Ｂ  ライン
２４４、２４５  変圧器
２４４Ａ、２４４Ｂ  巻線
２４４Ｃ、２４５Ｃ  中心タップ
２５  第２の通信手段
２５０  第２のプロセッサ（副ＣＰＵ）
２５１  送受信器
２５１．１  正弦波発生器
２５１．２  バンドパスフィルター
２５１．３  信号レベル比較器
２５２、２５３  コンデンサ
２５４、２５５  ライン
２６  バッテリ
２７  給電側機器
２７０  フィルター
２７１、２７２  ライン
３  スタンド
３１  締結手段
４  容器
４２  ライン
Ａ  回転対称軸
Ｂ  ベッド
Ｅ  係合方向
Ｉｖｃｃ  電流
ＲＸ  高速差動受信リンク
ＴＸ  高速差送信リンク
【図１】
2015503968.tif 000003
【図２】
2015503968.tif 000004
【図３Ａ】
2015503968.tif 000005
【図３Ｂ】
2015503968.tif 000006
【図４】
2015503968.tif 000007
【図５】
2015503968.tif 000008
【図６】
2015503968.tif 000009
【図７】
2015503968.tif 000010
【図８】
2015503968.tif 000011
【図９Ａ】
2015503968.tif 000012
【図９Ｂ】
2015503968.tif 000013
【図１０】
2015503968.tif 000014
【図１１】
2015503968.tif 000015
【図１２】
2015503968.tif 000016
【国際調査報告】
2015503968.tif 000017
2015503968.tif 000018
2015503968.tif 000019